(57)【要約】【課題】相手先名に複数種類の送信先情報が登録されていても、意図しない送信先に送信されることがなく、作業効率が良い画像処理装置を提供する。【解決手段】  画像データの送信先情報を相手先名に対応させて記憶するＨＤＤ１０８と、送信モードの指定及び相手先名の表示指示を受付ける操作部１３０と、相手先名に複数種類の送信先情報を対応させてＨＤＤに記憶した状態で、操作部が送信モードの指定及び相手先名の表示指示を受付けた場合、ＨＤＤに記憶された相手先名のうち、指定された送信モードの送信先情報に対応する相手先名のみを読出す制御部１０２と、読出された相手先名を表示する表示部とを備え、制御部が送信指示を受付けた場合、指定された送信モードでのみ送信される。これにより、相手先名に複数種類の送信先が登録されていても、意図しない送信先に送信されることを防止することができる。【選択図】図２
2013005420.tif 000002
【特許請求の範囲】
【請求項１】
画像データを送信する送信先情報を相手先名に対応させて記憶する記憶手段と、
画像送信モードの指定、及び、相手先名を表示する指示を受付ける操作手段と、
前記記憶手段が少なくとも１つの前記相手先名に複数種類の画像送信モードの送信先情報を対応させて記憶した状態で、前記操作手段が画像送信モードの指定、及び、相手先名を表示する指示を受付けた場合、前記記憶手段に記憶された相手先名のうち、指定された画像送信モードの送信先情報に対応する相手先名のみを読出す制御手段と、
前記制御手段によって読出された前記相手先名を表示する表示手段と、
を備えることを特徴とする画像処理装置。
【請求項２】
前記記憶手段は、さらに複数の前記相手先名を１つのグループとして記憶し、
前記操作手段は、さらに前記グループの指定を受付け、
前記操作手段が画像送信モードの指定、グループの指定、及び、相手先名を表示する指示を受付けた場合、前記制御手段は、指定されたグループに属する相手先名のうち、指定された前記画像送信モードの送信先情報に対応する相手先名のみを、前記記憶手段から読出すことを特徴とする請求項１に記載の画像処理装置。
【請求項３】
前記操作手段が画像送信モードの指定、及び、相手先名を表示する指示を受付け、前記表示手段が指定された画像送信モードの送信先情報に対応する相手先名のみを表示した状態で、前記操作手段が、指定された前記画像送信モードと異なる新たな画像送信モードの指定を受付けた場合、前記制御手段は、前記記憶手段に記憶された相手先名のうち、前記新たな画像送信モードの送信先情報に対応する相手先名のみを読出すことを特徴とする請求項１又は２に記載の画像処理装置。
【請求項４】
前記記憶手段は、前記制御手段の動作を指定する読出動作指定情報をさらに記憶し、
前記記憶手段が少なくとも１つの前記相手先名に複数種類の画像送信モードの送信先情報を対応させて記憶した状態で、前記操作手段が画像送信モードの指定、及び、相手先名を表示する指示を受付けた場合、前記制御手段は、前記読出動作指定情報に応じて、前記記憶手段に記憶された相手先名の全てを読出す、又は、指定された画像送信モードの送信先情報に対応する相手先名のみを読出すことを特徴とする請求項１から３の何れか１項に記載の画像処理装置。
【請求項５】
前記操作手段は、さらに、前記表示手段により表示された複数の相手先名の中から相手先名を選択する操作と、前記画像データの送信指示とを受付け、
前記操作手段が前記送信指示を受付けた場合、選択された相手先名に対応する送信先情報のうち、選択された画像送信モードの送信先情報のみに対して前記画像データを送信する送信手段をさらに備えることを特徴とする請求項１から４の何れか１項に記載の画像処理装置。
【請求項６】
前記記憶手段は、前記送信手段の動作を指定する送信動作指定情報をさらに記憶し、
前記操作手段が前記送信指示を受付けた場合、前記送信手段は、前記送信動作指定情報に応じて、選択された相手先名に対応する送信先情報の全てに対して前記画像データを送信する、又は、選択された相手先名に対応する送信先情報のうち、選択された画像送信モードの送信先情報のみに対して前記画像データを送信することを特徴とする請求項５に記載の画像処理装置。
【発明の詳細な説明】
【技術分野】
【０００１】
本発明は、ファクシミリ、電子メール等の画像データを送信する機能を有する画像処理装置に関し、特に、複数種類の画像送信機能を有する同報送信可能な画像処理装置に関する。
【背景技術】
【０００２】
帳票、見積書等の書類を相手先に届ける方法として、従来では、ファクシミリ（以下、ファクスともいう）が広く利用されてきた。近年では、これらの書類を電子データとして電子メールに添付し、ネットワークを介して相手先に送信する方法も一般的に行なわれている。送信相手先の受信装置（パーソナルファクシミリ、ファクシミリ複合機、パーソナルコンピュータ（以下、ＰＣという）等）に応じて、送信方法を使い分けることができるようにもなってきた。
【０００３】
例えば、画像処理装置の一種として、コピー、プリント、ファクシミリ、及びスキャナ等、複数の機能を備える複合機（ＭＦＰ（ＭｕｌｔｉＦｕｎｃｔｉｏｎ  Ｐｅｒｉｐｈｅｒａｌ））が普及している。ＭＦＰは、スキャナにより読取った原稿のデジタルデータ、通信回線を介して受信したデジタルデータ等に基づき、記録紙上に画像を形成するだけではなく、それらのデジタルデータを画像処理して、ファクス又は電子メールとして送信することができる。
【０００４】
ＭＦＰを用いた送信方法の１つとして、複数の相手先に同じ文書の送信を行なう、いわゆる同報送信がある。同報送信を行なう場合、送信原稿をＭＦＰにセットして送信相手先を順次設定し、スタートキー等の送信実行ボタンを押す。セットされた原稿が読取られ、画像変換（ファクスデータ又は電子メールに添付するデータへの変換）された後、設定された送信相手先への送信が順次行なわれる。
【０００５】
文書を送信する相手先の指定方法としては、次のような方法がある。ファクス送信の場合には、テンキーを使用して送信先のファクス番号を入力する。電子メール送信の場合には、キーボード（アルファベットキー）を使用して、送信先の電子メールアドレス（以下、単にメールアドレスともいう）を入力する。このとき、入力間違いによる誤送信が発生する虞がある。
【０００６】
誤送信を防止するために、送信相手先のファクス番号及びメールアドレスを相手先名と対応付けてアドレス帳に予め登録（ＭＦＰの不揮発性メモリ等に記憶）しておく技術が知られている。送信する場合、ＭＦＰの操作部を操作し、アドレス帳を呼び出し、アドレス帳の中から送信相手先を選択する。操作性を向上するためにワンタッチキーと呼ばれるキーに送信相手先のファクス番号又はメールアドレスを登録しておく技術も知られている。ワンタッチキーを押すだけで、登録されているファクス番号に発呼して文書が送信される。ワンタッチキーに電子メールのアドレスが登録されている場合には、メールアドレスに文書が送信される。
【０００７】
個人で複数の端末を所有するケースも増えてきているので、これに対応するために、アドレス帳内の１つの相手先名に対して複数の送信先情報（ファクス番号及びメールアドレス）を登録することが行なわれている。ワンタッチキーに関しても、アドレス帳と同様に、１つのキーに対して複数の送信先情報を登録できるようになっている。
【０００８】
複数の送信先が登録されたワンタッチキーを使用して文書を送信する場合、そのキーの機能上、１つの送信先（例えば、１つのファクシミリのみ、又は、１つのメールアカウントのみ）に送信したいにもかかわらず、同一の文書が複数の送信先に送られてしまい、利用者の意図しない端末へも文書の送信が行なわれてしまうことがある。例えば、ファクシミリにのみ送信することを要望されたにもかかわらず、電子メールでも送信してしまうことがある。
【０００９】
これを解決するための方法が、例えば、下記特許文献１及び特許文献２に提案されている。特許文献１及び特許文献２には、原稿の送信時に、押されたモードキーを判断することで送信モード（ファクス送信又は電子メール送信）を判定し、判定されたモードに対応する宛先情報（ファクス送信モードであればファクス番号、電子メール送信モードであればメールアドレス）宛に原稿データを送信する技術が開示されている。これにより、１つの送信先にファクス番号及びメールアドレスが登録されている場合であっても、利用者の指示によって、適切に対応した送信処理を実行できる。
【先行技術文献】
【特許文献】
【００１０】
【特許文献１】特開２００２−１２５０８８号公報
【特許文献２】特開２００３−１５２９４５号公報
【発明の概要】
【発明が解決しようとする課題】
【００１１】
しかし、前述の同報送信のように、文書を複数の相手先に送信する場合、特許文献１では宛先毎に送信モードを設定する（キー押下）必要があり、作業効率が悪い。
【００１２】
また、特許文献２ではワンタッチキーを押したときに設定されている送信モード（インターネットファクス／通常ファクス）に対応する宛先情報（メールアドレス／ファクス番号）が登録されていなければ送信宛先を再度選択し直さなければならず、作業効率が悪い。しかも、利用者がワンタッチキーを押した後に“未登録”との表示を行なうため、利用者に不快な思いをさせることもある。
【００１３】
したがって、本発明は、アドレス帳の相手先名に複数種類の画像送信の送信先情報が登録されている場合でも、利用者が意図しない送信先に送信されることがなく、作業効率が良く、利用者に不快な思いをさせない画像処理装置を提供することを目的とする。
【課題を解決するための手段】
【００１４】
上記の目的は、下記によって達成することができる。
【００１５】
即ち、本発明に係る画像処理装置は、画像データを送信する送信先情報を相手先名に対応させて記憶する記憶部と、画像送信モードの指定、及び、相手先名を表示する指示を受付ける操作部と、記憶部が少なくとも１つの相手先名に複数種類の画像送信モードの送信先情報を対応させて記憶した状態で、操作部が画像送信モードの指定、及び、相手先名を表示する指示を受付けた場合、記憶部に記憶された相手先名のうち、指定された画像送信モードの送信先情報に対応する相手先名のみを読出す制御部と、制御部によって読出された相手先名を表示する表示部とを備える。
【００１６】
好ましくは、記憶部は、さらに複数の相手先名を１つのグループとして記憶し、操作部は、さらにグループの指定を受付け、操作部が画像送信モードの指定、グループの指定、及び、相手先名を表示する指示を受付けた場合、制御部は、指定されたグループに属する相手先名のうち、指定された画像送信モードの送信先情報に対応する相手先名のみを、記憶部から読出す。
【００１７】
より好ましくは、操作部が画像送信モードの指定、及び、相手先名を表示する指示を受付け、表示部が指定された画像送信モードの送信先情報に対応する相手先名のみを表示した状態で、操作部が、指定された画像送信モードと異なる新たな画像送信モードの指定を受付けた場合、制御部は、記憶部に記憶された相手先名のうち、新たな画像送信モードの送信先情報に対応する相手先名のみを読出す。
【００１８】
さらに好ましくは、記憶部は、制御部の動作を指定する読出動作指定情報をさらに記憶し、記憶部が少なくとも１つの相手先名に複数種類の画像送信モードの送信先情報を対応させて記憶した状態で、操作部が画像送信モードの指定、及び、相手先名を表示する指示を受付けた場合、制御部は、読出動作指定情報に応じて、記憶部に記憶された相手先名の全てを読出す、又は、指定された画像送信モードの送信先情報に対応する相手先名のみを読出す。
【００１９】
好ましくは、操作部は、さらに、表示部により表示された複数の相手先名の中から相手先名を選択する操作と、画像データの送信指示とを受付け、操作部が送信指示を受付けた場合、選択された相手先名に対応する送信先情報のうち、選択された画像送信モードの送信先情報のみに対して画像データを送信する送信部をさらに備える。
【００２０】
より好ましくは、記憶部は、送信部の動作を指定する送信動作指定情報をさらに記憶し、操作部が送信指示を受付けた場合、送信部は、送信動作指定情報に応じて、選択された相手先名に対応する送信先情報の全てに対して画像データを送信する、又は、選択された相手先名に対応する送信先情報のうち、選択された画像送信モードの送信先情報のみに対して画像データを送信する。
【発明の効果】
【００２１】
本発明によれば、アドレス帳に登録された相手先名を表示する場合に、指定されている画像送信モードの送信先情報が登録されている相手先名のみを表示することができる。利用者が指定した画像送信モードの送信先情報が登録されていない相手先名は表示されないので、利用者は効率よく画像データの送信先を選択することができる。
【００２２】
また、本発明によれば、アドレス帳において、相手先名に対応させて異なる種類の画像送信の送信先情報が登録されていても、画像処理装置の初期設定により、利用者が指定した画像送信モードのみで送信することができる。したがって、利用者が選択した相手先名に対応させて登録されている全ての送信先情報に送信されることがなく、意図しない相手先の端末に送信されてしまうことを防止することができる。画像処理装置の初期設定により、相手先名に対応させて登録されている全ての送信先情報に送信することもできるので、画像処理装置が使用される状況に応じて、複数種類の画像送信をより効率的に実行することができる。
【００２３】
また、本発明によれば、特定の画像送信モードを指定してアドレス帳を表示させ、送信先を選択中に、別の画像送信モードに変更して送信する必要が生じた場合、その別の画像送信モード（即ちジョブの種類）を直接指定することができ、相手先名を容易に選択することができる。したがって、利用者は、ホーム画面に戻って画像送信モードを指定し直さなくても、別の画像送信モードで送信できる相手先名を、少ない操作で選択することができる。例えば、画像処理装置が、指定された送信モードのみの宛先に送信するように初期設定されており、送信したい相手先名にファクス番号と電子メールアドレスとが登録されている場合に、利用者が最初にファクス送信するつもりでアドレス帳から送信したい相手先名を選択している途中で、電子メール送信に変更する必要が生じたときには、絞込条件（ジョブの種類）として電子メール送信を指定すれば、電子メール送信できる相手先名を容易に選択することができる。そして、相手先名を選択すれば、自動的に電子メールアドレスが決定され、電子メール送信のみが行なわれる。
【図面の簡単な説明】
【００２４】
【図１】本発明の実施の形態に係る画像処理装置の外観を示す斜視図である。
【図２】図１に示した画像処理装置の構成を示すブロック図である。
【図３】各動作モードの基本画面の基本レイアウトの構成を示す図である。
【図４】操作部に表示されるファクスモードの基本画面を示す図である。
【図５】画像送信を実行するコンピュータプロググラムの制御構造を示すフローチャートである。
【図６】基本画面上にアドレス帳ウィンドウが表示された画面を示す図である。
【図７】絞込ウィンドウを示す図である。
【図８】ジョブ種類による絞込条件が、図６の画面から変更された画面を示す図である。
【図９】初期設定画面を示す図である。
【発明を実施するための形態】
【００２５】
以下の実施の形態では、同一の部品には同一の参照番号を付してある。それらの名称及び機能も同一である。したがって、それらについての詳細な説明は繰返さない。
【００２６】
本発明の実施の形態に係る画像処理装置は、スキャナ機能、ファクス機能、電子メール機能、コピー機能、及びプリンタ機能等の複数の機能を備えたデジタル複合機である。
【００２７】
図１を参照して、画像処理装置１００は、原稿読取部１１０、画像形成部１２０、操作部１３０、給紙部１４０、手差し給紙トレイ１４２、及び排紙処理部１５０を備えている。操作部１３０は、タッチパネルディスプレイ１３２及び操作キー部１３４を備えている。タッチパネルディスプレイ１３２は、液晶パネル等で構成された表示パネルと、表示パネルの上に配置され、タッチされた位置を検出するタッチパネルとを含む。操作キー部１３４には、図示しないいくつかの機能キーが配置される。操作キー部１３４には、テンキーが配置される場合もある。
【００２８】
図２を参照して、画像処理装置１００は、画像処理装置１００全体を制御する制御部（以下、ＣＰＵという）１０２と、プログラム等を記憶するためのＲＯＭ（Ｒｅａｄ  Ｏｎｌｙ  Ｍｅｍｏｒｙ）１０４と、揮発性の記憶装置であるＲＡＭ（Ｒａｎｄｏｍ  Ａｃｃｅｓｓ  Ｍｅｍｏｒｙ）１０６と、通電が遮断された場合にもデータを保持する不揮発性記憶装置であるＨＤＤ（Ｈａｒｄ  Ｄｉｓｋ  Ｄｒｉｖｅ）１０８とを備えている。ＲＯＭ１０４には、画像処理装置１００の動作を制御するのに必要なプログラム及びデータが記憶されている。
【００２９】
画像処理装置１００はさらに、画像処理部１２２、画面生成部１２４、ファクス通信部１１２、ネットワークＩ／Ｆ１１４、及びバス１１６を備えている。ＣＰＵ１０２、ＲＯＭ１０４、ＲＡＭ１０６、ＨＤＤ１０８、ファクス通信部１１２、ネットワークＩ／Ｆ１１４原稿読取部１１０、画像形成部１２０、画像処理部１２２、画面生成部１２４、操作部１３０は、バス１１６に接続されている。各部間のデータ（制御情報を含む）交換は、バス１１６を介して行なわれる。ＣＰＵ１０２は、バス１１６を介してＲＯＭ１０４からプログラムをＲＡＭ１０６上に読出して、ＲＡＭ１０６の一部を作業領域としてプログラムを実行する。即ち、ＣＰＵ１０２は、ＲＯＭ１０４に格納されているプログラムにしたがって画像処理装置１００を構成する各部の制御を行ない、画像処理装置１００の各機能を実現する。
【００３０】
ファクス通信部１１２は、外部の公衆電話回線１８０に接続され、画像処理装置１００が公衆電話回線１８０を介して外部装置とファクス通信するためのインターフェイスであるファクスモデムを備えている。
【００３１】
ネットワークＩ／Ｆ１１４は、外部のネットワーク１８２に接続され、画像処理装置１００がネットワーク１８２を介して外部装置と通信するためのインターフェイスとして、例えばＮＩＣ（Ｎｅｔｗｏｒｋ  Ｉｎｔｅｒｆａｃｅ  Ｃａｒｄ）を備えている。
【００３２】
画像処理装置１００が備える画像通信モードとしては、ファクスモデムにより公衆電話回線を介して画像データを送受信するファクスモード、ＮＩＣによりインターネットを介して画像データを送受信するインターネットファクスモード、画像データを電子メールに添付して送受信する電子メール通信モード（スキャンｔｏメール）、及びネットワークを介して画像データをＰＣの特定のフォルダに転送する画像送信モード（スキャンｔｏフォルダ）等がある。
【００３３】
原稿読取部１１０は、画像を読取るためのＣＣＤ（Ｃｈａｒｇｅ  Ｃｏｕｐｌｅｄ  Ｄｅｖｉｃｅ：電荷結合素子）と、原稿台、自動原稿送り装置（ＡＤＦ）等にセットされた原稿を検知する原稿検知センサとを備え、原稿を読取って画像データを入力する。画像データは画像メモリ（図示せず）に一時的に記憶される。画像処理部１２２は、読取った画像データに対して、種々の画像処理を実行する。画像形成部１２０は、画像データを記録紙に印刷する。画像データは、必要に応じてＨＤＤ１０８に記憶される。
【００３４】
給紙部１４０は画像形成用の記録紙を保持する。手差し給紙トレイ１４２は、記録紙を手差し給紙するためのトレイである。
【００３５】
操作部１３０は、利用者による画像処理装置１００に対する指示等の入力を受付ける。タッチパネルディスプレイ１３２に表示される画像は、画面生成部１２４によって生成される。利用者は、タッチパネルディスプレイ１３２に表示される画面によって、画像処理装置１００の状態及びジョブの処理状況等の確認を行なう。タッチパネルディスプレイ１３２に表示されたキーを、表示パネルに重ねられたタッチパネル上で選択する（タッチパネル上の該当部分にタッチする）ことによって、画像処理装置１００の機能設定及び動作指示等ができる。
【００３６】
ＣＰＵ１０２は、操作部１３０に設けられたタッチパネルディスプレイ１３２、入力キー等に対する利用者の操作を監視すると共に、タッチパネルディスプレイ１３２に画像処理装置１００の状態に関する情報等の利用者に通知すべき情報等を表示する。
【００３７】
以下、画像処理装置１００が搭載している機能（コピー機能、プリンタ機能、スキャナ機能、及びファクス機能）を実行する各モードについて簡単に説明する。
【００３８】
（コピーモード）
画像処理装置１００を複写機として利用する場合には、原稿読取部１１０によって読取られた原稿の画像データ（以下、原稿データともいう）が、画像形成部１２０から複写物として出力される。
【００３９】
原稿読取部１１０に装備されたＣＣＤにより、読取位置にセットされた原稿の画像を電子的に読取ることができる。読取られた画像データは、画像メモリ上に出力データ（印刷用データ）として完成された後、ＨＤＤ１０８に記憶される。原稿が複数ある場合には、この読取り動作及び記憶動作が繰返される。その後、操作部１３０から指示された処理モードに基づいて、ＨＤＤ１０８に記憶された画像データが適切なタイミングで順次読出されて画像メモリに送られる。そして、画像形成部１２０での画像形成のタイミングに合わせて、画像データは画像形成部１２０へと伝送される。
【００４０】
読取った画像データを複数枚印刷する場合にも、同様に出力データとしてページ単位でＨＤＤ１０８に記憶され、ＨＤＤ１０８から画像メモリに送られ、出力枚数の分だけ繰返し、画像形成のタイミングに合わせて画像形成部１２０へ伝送される。
【００４１】
給紙部１４０では、記録紙がピックアップローラによって引き出され、複数の搬送用ローラによって、画像形成部１２０まで搬送される。画像形成部１２０では、帯電された感光体ドラムを入力された画像データに応じて露光することにより、感光体ドラムの表面に、画像データに応じた静電潜像を形成する。感光体ドラム上の静電潜像部分にトナーを付着させた後、トナーによる画像を、転写ベルトを介して、搬送された記録紙に転写される。その後、記録紙は加熱及び加圧され（これにより記録紙に画像が定着する）、排紙トレイ１５２に排出される。
【００４２】
（プリンタモード）
画像処理装置１００をプリンタとして利用する場合には、通信部１１２を介して受信した画像データが画像メモリ等を介して画像形成部１２０から出力される。
【００４３】
通信部１１２は、ネットワーク１８２に接続されたＰＣ等の端末装置（図示せず）から画像データを受信する。受信された画像データは、出力画像データとしてページ単位に画像メモリに送られた後、ＨＤＤ１０８に記憶される。その後、画像データは、再びＨＤＤ１０８から画像メモリに送られ、上記したコピーモードと同様に画像形成部１２０へと伝送され、画像形成が行なわれる。
【００４４】
（スキャナモード）
画像処理装置１００を、例えばネットワークスキャナとして利用する場合には、原稿読取部１１０において読取られた原稿データを、通信部１１２からネットワーク１８２を介してコンピュータ等の端末装置へ送信する。この場合にも、原稿読取部１１０に装備されたＣＣＤにより原稿を電子的に読取る。そして、読取られた原稿データは、画像メモリ上に出力データとして完成された後、ＨＤＤ１０８に記憶される。その後、画像データは、再びＨＤＤ１０８から画像メモリに送られ、操作部１３０を介して指定された送信先との通信を確立した上で、通信部１１２から、指示された送信先へと送信される。
【００４５】
（ファクスモード）
画像処理装置１００は、ファクス通信部１１２及び公衆電話回線１８０を介して外部のファクス装置とファクス送受信することができる。
【００４６】
画像処理装置１００をファクス装置として使用する場合、画像処理装置１００は、ＨＤＤ１０８から画像データを読出して、ファクス通信用のデータ形式に変換して、ファクス通信部１１２及び公衆電話回線１８０を介して外部のファクス装置に送信することができる。また、ファクス装置からファクス受信したデータを、画像データとして画像メモリ上に形成し、上記と同様に、ＨＤＤ１０８への記憶、画像形成部１２０による印刷を実行することができる。
【００４７】
ファクス送信を実行する場合、利用者はタッチパネルディスプレイ１３２に表示された画面及び操作キー部１３４を操作して、ファクス送信の条件を設定した後、ファクス送信の実行を指示するキーを押す。ファクス送信の条件には、相手先のファクス番号、原稿のサイズ、送信画像の濃度、送信画像の画質等がある。同じ原稿を複数の送信先にまとめて送信する同報送信する場合には、送信先毎のファクス番号、送信先毎の送信条件を設定する。
【００４８】
図３を参照して、操作部１３０に表示される各種動作モードの基本画面は、システム領域２００、機能設定／確認領域（以下、機能選択領域という）２１０、プレビュー領域２４０、アクションパネル領域２６０、及び、タクストリガー領域２８０を含む５つの領域から構成される。これら５つの領域は、基本レイアウトにしたがって以下のように配置される。即ち、システム領域２００は基本画面の最上部に配置される。プレビュー領域２４０は基本画面の中央部に配置される。機能選択領域２１０は、基本画面においてプレビュー領域２４０に対して左側に配置される。アクションパネル領域２６０は、基本画面においてプレビュー領域２４０に対して右側上部に配置される。タクストリガー領域２８０は、基本画面においてプレビュー領域２４０に対して右側下部に配置される。上記した各種動作モードの基本画面を構成する５つの領域及び基本レイアウトは、全ての動作モードにおいて共通する。
【００４９】
上記した各種動作モードの基本画面の一例として、ファクスモードの基本画面について説明する。図４を参照して、ファクスモードの基本画面３００のシステム領域２００には、ファクスモードであることを示す文字「ファクス」と、ジョブ状況が表示される。
【００５０】
ファクスモードの基本画面３００の機能選択領域２１０には、アドレス帳の表示を要求するためのキー２０２と、ファクスモードに関する各種機能及びパラメータ等の条件の設定変更を行なうための各種設定キーが表示される。本実施の形態では、上記各種設定キーとして、ファクス原稿の濃度を変更するためのキー２１２、ファクス原稿の画質を変更するためのキー２１４、ファクス原稿の送信サイズ等を変更するためのキー２１６、大量原稿モードを設定するためのキー２１８、薄紙読込み機能を設定するためのキー２２０、混載原稿機能を設定するためのキー２２２、及び、原稿枚数カウント機能を設定するためのキー２２４が表示される。利用者によってキー２１２〜２１６の何れかがタッチされた場合、タッチパネルディスプレイ１３２に、押下されたキーに対応する設定画面（例えば、濃度設定画面、画質設定画面、及び原稿設定画面等）が表示される。キー２１８〜２２４の左端には、チェックボックスが表示される。利用者によって、キー２１８〜２２４の何れかがタッチされた場合、タッチされたキーのチェックボックスにチェックマークが表示され、タッチされたキーに対応する機能が設定される。機能選択領域２１０における上記した各種設定キー２１２〜２２４の下方には、各種設定キー２１２〜２２４の表示スタイルを変更するためのキー２２６及び２２８と、他の機能キー２３０と、が表示される。キー２２６は、予め「お気に入り」登録された機能に関する設定キーのみを表示させるためのキーである。キー２２８は、設定変更された機能に関する設定キーのみを表示させるためのキーである。他の機能キー２３０は、機能選択領域２１０に表示されている機能とは異なる他の特別機能の表示を要求するためのキーである。
【００５１】
機能選択領域２１０において、表示対象の全ての設定キーを表示しきれない場合には、各種設定キーは上下方向にスクロール可能に表示される。但し、変更キー２２６〜２３０の表示位置は固定されたままである。利用者は、タッチ操作（スクロール操作）又はジェスチャー操作（上下方向のフリック操作）によって、各種設定キーの表示部分を上下方向に切替えることができる。
【００５２】
ファクスモードの基本画面３００のプレビュー領域２４０には、ファクス番号等を入力するための仮想テンキー群２４２と番号表示領域２４４とが表示される。仮想テンキー群２４２は、０〜９までの数字キー、「♯」キー等の記号キー、クリア（Ｃ）キー、及び、確定キーを含む。番号表示領域２４４は、利用者によって入力された送信相手先のファクス番号を表示するための領域である。
【００５３】
プレビュー領域２４０にはさらに、原稿載置台又は自動原稿搬送装置（ＡＤＦ（Ａｕｔｏ  Ｄｏｃｕｍｅｎｔ  Ｆｅｅｄｅｒ））（何れも図示せず）にファクス原稿がセットされたか否かを示すアイコン、及び、現在のファクス送信設定状況等を示すウィンドウ２４６が表示される。
【００５４】
ファクスモードの基本画面３００のアクションパネル領域２６０には、ファクスモードにおけるおすすめ機能を実行するための各種実行キーが表示される。図４では、送信先を最近使ったものの中から選択するためのキー２６２、検索番号（予め登録されたクイック番号）を指定して送信先情報（ファクス番号）を呼出すためのキー２６４、外部サーバに登録したグローバルアドレス（ファクス番号、メールアドレス等）を検索するためのキー２６６、直接送信することを指定するためのキー２６８、宛先を登録又は削除するためのキー２７０が表示されている。
【００５５】
ファクスモードの基本画面３００のタスクトリガー領域２８０には、スキャンインキー２８２、クリアオールキー（ＣＡキー）２８４、スタートキー２８６、及び、オンフックキー２８８が表示される。スキャンインキー２８２は、ファクス原稿をスキャンし、スキャンデータに基づくプレビュー画像をプレビュー領域２４０に表示させるスキャンイン処理の実行を開始するためのキーである。ＣＡキー２８４は、設定変更された機能及びパラメータ等を全てキャンセルし、設定をデフォルト状態へ戻すためのキーである。スタートキー２８６は、ファクス送信処理の実行を開始するためのキーである。オンフックキー２８８は、回線の状態をオンフック状態にするためのキーである。
【００５６】
以下、図５を参照して、画像処理装置１００において、画像送信を実行するためにＣＰＵ１０２が実行するプログラムの制御構造について説明する。ここでは、画像処理装置１００の電源がオンされ、例えば操作部１３０にホーム画面（各機能を選択するキーが表示された画面）が表示されて、利用者によってファクス送信（ファクスモード）が選択されたとする。
【００５７】
ステップ４００において、ＣＰＵ１０２は、利用者のファクス送信を選択する操作に応じて、図４に示すファクスモードの基本画面を操作部１３０に表示する。
【００５８】
ステップ４０２において、ＣＰＵ１０２は、操作部１３０が操作されたか否かを判定する。具体的には、操作部１３０に表示された基本画面上のキーがタッチされたか否かを判定する。何れかのキーがタッチされたと判定された場合、制御はステップ４０４に移行する。そうでなければ、ステップ４０２が繰返される。
【００５９】
ステップ４０４において、ＣＰＵ１０２は、タッチされたキーがアドレス帳を表示するためのキー２０２であるか否かを判定する。そうでなければ、制御はステップ４２０に移行する。
【００６０】
ステップ４０６において、ＣＰＵ１０２は、図６に示すアドレス帳ウィンドウ５００を操作部１３０に表示する。アドレス帳ウィンドウ５００は、ファクスモードの基本画面３００の機能選択領域２１０及びプレビュー領域２４０に重畳して表示される。相手先名表示領域５１６には、ＨＤＤ１０８に記憶されているアドレス帳に登録されている相手先名が五十音順に表示される。アドレス帳には、相手先名に対応させて、画像送信の送信先情報（ファクス番号、電子メールアドレス等）と画像送信の種類（ファクス、電子メール等）を特定する情報とが登録されている。１つの相手先名に対して、画像送信の種類を問わず、複数の送信先情報を登録することができる。
【００６１】
相手先名表示領域５１６の各相手先名の先頭には、チェックボックス５１８及びファクス送信の相手先であることを示すアイコン５２０が表示される。登録件数が多く、全体を一度に表示できない場合には、一部が表示される。別の相手先名を表示するには、アップキー５０８又はダウンキー５１０にタッチする。スライドバー５０６を上下に移動させても、別の送信先名を表示することができる。
【００６２】
キー５１２及びキー５１４は、相手先名表示領域５１６に表示する相手先名を絞込む条件を設定するためのキーである。キー５１２及びキー５１４の下部には、設定されている状態が表示されている。図６では、カテゴリーで絞込まれておらず、かつ、ファクス番号が登録されている相手先名が表示され、ファクス番号が登録されていない相手先名は表示されていない。この絞込は、相手先名に対応させて登録されている画像送信の種類を特定する情報によって行なわれる。このように指定されたジョブ（画像送信モード）の種類で絞込まれた相手先名を表示するか、全ての相手先名を表示するかは、後述する画像処理装置の初期設定に依存する。ここでは、アドレス帳を表示することが指示された場合、指定されている画像送信モード（基本画面のモード）で絞込まれた相手先名が表示されるように設定されているとする。キー５０４がタッチされると、アドレス帳ウィンドウ５００は消去される。キー５０２は、上記したキー２６４（図４）と同じ機能のキーである。
【００６３】
ステップ４０８において、ＣＰＵ１０２は、操作部１３０が操作されたか否かを判定する。具体的には、操作部１３０に表示されたアドレス帳ウィンドウ５００上の何れかのキーがタッチされたか否かを判定する。何れかのキーがタッチされたと判定された場合、制御はステップ４１０に移行する。そうでなければ、ステップ４０８が繰返される。
【００６４】
ステップ４１０において、ＣＰＵ１０２は、タッチされたキーが、ジョブの種類（即ち、画像送信の種類）で絞込むためのキー５１２であるか否かを判定する。キー５１２であると判定された場合、制御はステップ４１２に移行する。そうでなければ、制御はステップ４３２に移行する。
【００６５】
ステップ４１２において、ＣＰＵ１０２は、図７に示す絞込ウィンドウ６００を、例えばアドレス帳ウィンドウ５００に重畳して表示する。絞込ウィンドウ６００には、絞込条件を指定するためのキーが表示される。キー６０４は、絞込まない、即ち、画像送信の種類によらず全ての相手先名を表示させるためのキーである。キー６０６は、電子メールアドレスが登録されている相手先名のみを表示させるためのキーである。キー６０８は、ファクス番号が登録されている相手先名のみを表示させるためのキーである。これら以外にも、共有フォルダキー６１０、ＦＴＰ／Ｄｅｓｋｔｏｐキー６１２、インターネットファクスキー６１４が表示される。これらのキーは、それぞれの画像送信の送信先情報が登録された相手先名のみを表示させるためのキーである。送信先情報は、共有フォルダであれば、共有フォルダへのパス、ＦＴＰ／Ｄｅｓｋｔｏｐであれば、ＦＴＰサービスを提供しているサーバ等へのパス、インターネットファクスであれば電子メールアドレスである。図７の絞込ウィンドウ６００は、図６の画面（ファクスモードの基本画面）においてキー５１２がタッチされた場合に表示され、キー６０８が選択されていることを、白黒反転表示で示されている。キー６０２がタッチされると、絞込ウィンドウ６００は消去される。
【００６６】
ステップ４１４において、ＣＰＵ１０２は、操作部１３０が操作されたか否かを判定する。具体的には、操作部１３０に表示された絞込ウィンドウ６００上の何れかのキーがタッチされたか否かを判定する。何れかのキーがタッチされたと判定された場合、制御はステップ４１６に移行する。そうでなければ、ステップ４１４が繰返される。
【００６７】
ステップ４１６において、ＣＰＵ１０２は、タッチされたキーが、絞込ウィンドウ６００を閉じるためのキー６０２であるか否かを判定する。キー６０２であると判定された場合、制御はステップ４３６に移行する。そうでなければ、制御はステップ４１８に移行する。
【００６８】
ステップ４１８において、ステップ４１４でタッチされたと判定されたキーに対応する絞込条件を設定した後、制御はステップ４１４に戻る。絞込ウィンドウ６００には、絞込条件を指定するための６つのキー６０４〜６１４と、絞込ウィンドウ６００を閉じるキー６０２のみが配置されているので、キー６０２以外のキーがタッチされた場合、タッチされたキーは絞込条件を指定するためのキー６０４〜６１４の何れかである。絞込条件は、例えば、６つのキーの各々に対応させた情報である。絞込条件は、例えばＲＡＭ１０６の所定領域に記憶される。
【００６９】
キー６０２がタッチされた場合、ステップ４３６において、ＣＰＵ１０２は、絞込ウィンドウ６００を消去し、ステップ４１８で設定された絞込条件に対応する画像送信モードの基本画面を表示した後、ステップ４０６に戻る。
【００７０】
このように、ステップ４１２〜４１８及び４３６によって、利用者は、アドレス帳ウィンドウ５００に表示させる相手先名の条件を指定することができる。利用者によって、所定の絞込条件を指定するための６つのキーのうちの何れかがタッチされた後、キー６０２がタッチされた場合、指定された絞込条件に対応する画像送信モードの基本画面の上に、指定された絞込条件を満たすアドレス帳ウィンドウが表示される。例えば、図７の絞込ウィンドウ６００上のキー６０６がタッチされた後、キー６０２がタッチされると、図８に示す画面が表示される。図８の画面は、図６と異なり、左上に「Ｅ−ｍａｉｌ」と表示された電子メール送信の基本画面である。アクションパネル領域には、電子メール送信特有のキー７０６が表示されている。キー７０６は、ファクス送信と同じ相手に送信する場合、電子メール送信で使用されるデフォルトの解像度の代わりに、ファクスと同じ解像度で電子メール送信することを指定するためのキーである。アドレス帳ウィンドウ７００は、アドレス帳ウィンドウ５００と異なり、キー７０２の下部には「Ｅ−ｍａｉｌ」と表示されており、相手先名表示領域５１６には、電子メールアドレスが登録されている相手先名のみが表示されている。各相手先名の前には、電子メールを表すアイコン７０４が表示されている。
【００７１】
ステップ４１０において、キー５１２以外のキーがタッチされたと判定された場合、ステップ４３２において、ＣＰＵ１０２は、タッチされたキーがアドレス帳ウィンドウ５００を閉じるキー５０４であるか否かを判定する。キー５０４でないと判定された場合、制御はステップ４３４に移行する。そうでなければ、制御はステップ４００に戻る。
【００７２】
ステップ４３４において、ＣＰＵ１０２は、タッチされたキーに該当する処理を実行する。その後、制御はステップ４０６に戻る。例えば、アドレス帳ウィンドウ５００上で、利用者は相手先名にタッチして、ファクス送信する相手先を指定することができる。相手先名がタッチされた場合、その相手先名の前のチェックボックス５１８にチェックマークが付されたアドレス帳ウィンドウ５００が、ステップ４０６の処理によって表示される。また、キー５１４がタッチされた場合、上記したジョブの種類に関する絞込条件を指定する処理と同様に、表示させる相手先名をカテゴリーで絞込むことができる。カテゴリーとは、１つ又は複数の相手先名を１つのグループにまとめたものである。各カテゴリー名に、１つ又は複数の相手先名を対応させてＨＤＤ１０８に記憶している。キー５１４がタッチされた場合、カテゴリー名のリストが表示され、利用者は絞込むカテゴリー名を指定することができる。絞込むカテゴリーが指定されると、アドレス帳ウィンドウ５００が再表示され、カテゴリーが指定される前に表示されていた相手先名のうち、指定されたカテゴリーに属する相手先名のみが表示される。カテゴリーで絞込む処理は、上記したジョブ種類で絞込む処理と同様である。但し、カテゴリーの絞込条件が変更されても基本画面は変更されない。
【００７３】
このようにステップ４０６〜４１８及び４３２〜４３６が繰返されることによって、画像送信の種類及び送信相手先名が指定される。
【００７４】
ステップ４０４において、タッチされたキーがアドレス帳を表示するためのキー２０２でなければ、ステップ４２０において、ＣＰＵ１０２は、タッチされたキーがスタートキー２８６であるか否かを判定する。タッチされたキーがスタートキー２８６であると判定された場合、制御はステップ４２２に移行する。そうでなければ、制御はステップ４３０に移行する。
【００７５】
スタートキー２８６以外のキーがタッチされた場合、ステップ４３０において、ＣＰＵ１０２は、タッチされたキーに該当する処理を実行する。その後、制御はステップ４００に戻る。これによって、例えば、機能選択領域２１０に配置されたキーがタッチされた場合、ファクス機能に関する設定が行なわれる。仮想テンキー群２４２が操作された場合、ファクス番号が直接入力される。アクションパネル領域２６０に配置されたキーがタッチされた場合、該当する処理が実行される。
【００７６】
スタートキーがタッチされた場合、ステップ４２２において、ＣＰＵ１０２は、画像データの送信先を決定する。上記したように、ステップ４３０で、ファクス番号が仮想テンキー群２４２を介して直接入力された場合、そのファクス番号が送信先として決定される。また、上記したように、利用者がアドレス帳を表示させて相手先名を選択した場合、選択された相手先名に対応する送信先情報を送信先として決定する。このとき、各相手先名に対応させて複数種類の画像送信の送信先情報が登録されている場合、どの種類の画像送信の送信先情報を使用するかは、画像処理装置１００の設定によって異なる。具体的に説明すれば次の通りである。
【００７７】
図９を参照して、画像処理装置１００の設定画面８００は、例えば、管理者によって操作部１３０が所定の操作を受けた場合に表示される。図９には、画像処理装置１００の初期設定の一部の項目が表示されている。別の設定項目を表示させるためには、ページ送りキー又はスクロールバー（何れも図示せず）が操作される。設定画面８００で設定された内容は、画像処理装置１００が起動されるときにＨＤＤ１０８から、ＲＡＭ１０６の所定領域に読出される。登録キー８０４がタッチされることによって、ＲＡＭ１０６上の該当するデータが更新される。ＨＤＤ１０８に記憶された該当するデータも更新される。
【００７８】
アドレス帳のデフォルト設定に関する領域８０２には、上記したようにアドレス帳から相手先名が選択された場合、ステップ４２２で決定される送信先として、指定されている画像送信モードの送信先情報のみを用いるか否かを定めるための領域である。図９では、「送信するモードのみの宛先を適用する」のチェックボックスにチェックマークが付されており、各相手先名に対応させて登録された送信先情報のうち、送信モードに対応する送信先情報のみに対して送信するように設定されている。この設定状態であれば、上記したように、ファクスモードが選択され、アドレス帳ウィンドウ５００に表示される複数の相手先名の中から相手先名が選択された場合、選択された相手先名に対応するファクス番号のみが送信先として決定される。選択された相手先名に対応させて、電子メールアドレス等のファクス番号以外の送信先情報が登録されていても、それらは送信先としては使用されない。一方、「送信するモードのみの宛先を適用する」のチェックボックスにチェックマークが付されていなければ、選択された相手先名に対応させて、電子メールアドレス等のファクス番号以外の送信先情報が登録されていた場合、それらも送信先として決定される。
【００７９】
アドレス帳ウィンドウ５００に表示される相手先名のリストがどのようなリストであるかは、キー５１２の下部に、ファクス、Ｅ−ｍａｉｌ等の文字で表示されるが、ステップ４２２で決定される送信先は、キー５１２の下部の表示には依存しない。ステップ４２２で決定される送信先は、アドレス帳ウィンドウ５００で選択された相手先名、及び「送信するモードのみの宛先を適用する」設定が有効になっている（チェックされている）か否かによって決定される。
【００８０】
領域８０２の「デフォルトで表示するカテゴリー」に関する設定は、アドレス帳ウィンドウ５００を表示した場合に、表示される相手先名が属するカテゴリーを指定するためデフォルト設定である。図９では、何れのカテゴリーの設定されていない。この設定であれば、図６に示したように、キー５１４には「絞込まない」と表示される。
【００８１】
領域８０２の「表示中のモードによらず全ての宛先種類を表示する」のチェックボックスにチェックマークが付されていれば、アドレス帳を表示した場合に、指定されている送信モードに依存せず、全ての相手先名が表示される。図９では、チェックマークが付されていないので、ステップ４０６に関して上記したように、アドレス帳を表示することが指示された場合、指定されている画像送信モードで絞込まれた相手先名が表示される。また、図９には、画像送信する場合の画像セット方向が設定されている。
【００８２】
画像データの送信先が決定された後、ステップ４２４において、ＣＰＵ１０２は、送信用画像データを生成する。具体的には、原稿読取部１１０を制御して原稿をスキャンし、原稿を画像データとして記憶し、送信モードに応じた画像データを生成する。例えば、ファクス送信の条件（カラー又は白黒、解像度等）に応じたファクス送信用の画像データを生成する。
【００８３】
ステップ４２６において、ＣＰＵ１０２は、ステップ４２２で決定された送信先（例えばファクス番号）に、ステップ４２４で生成した画像データ（ファクス送信用画像データ）を送信する。
【００８４】
ステップ４２８において、全種類の画像送信が終了したか否かを判定する。画像処理装置１００の初期設定として、「送信するモードのみの宛先を適用する」のチェックボックスにチェックマークが付されており、ファクス送信が指定されていれば、ステップ４２２においてファクス番号のみが送信先として決定されるので、ステップ４２８での判定結果はＹＥＳとなり、終了する。一方、「送信するモードのみの宛先を適用する」のチェックボックスにチェックマークが付されていなければ、ファクス送信が選択されていても、ステップ４２２によってファクス番号以外の送信先にも送信される。したがって、ファクス番号に送信した段階では、ステップ４２８での判定結果はＮＯとなり、ステップ４２４に戻り、別の種類の画像送信を実行する。例えば、ステップ４２２において送信先として電子メールアドレスが決定されていれば、ステップ４２４において、ＣＰＵ１０２は、先に実行されたステップ４２４において記憶した原稿の画像データから、電子メール送信用の画像データを生成する。そして、ステップ４２６において、ステップ４２２で決定された電子メールアドレスに、ステップ４２４で生成した画像データ（電子メール送信用画像データ）を送信する。相手先名に対応する送信先情報として、その他の種類の画像送信の送信先情報が登録されていた場合にも、同様にステップ４２４及びステップ４２６が繰返される。
【００８５】
以上により、利用者が直接ファクス番号を入力してファクス送信する場合、ステップ４００〜４０４、４２０〜４２８、及び４３０が実行されて、ファクス送信される。利用者が、ファクスモードの基本画面からアドレス帳を呼出して相手先を選択してファクス送信する場合、ステップ４００〜４１０及び４２０〜４３４が実行されて、ファクス送信される。また、利用者が、ファクス送信の基本画面３００からアドレス帳を呼出した後に、ファクス送信以外の画像送信に変更して送信する場合、ステップ４００〜４３６（特に、ステップ４１８）が実行され、画像送信される。
【００８６】
また、利用者が、操作部１３０を操作してアドレス帳を表示させるとき、送信モードを指定して、その送信モードの送信先情報が登録されている相手先名のみを表示させることができる。その送信モードの送信先情報が登録されていない相手先名は表示されないので、不要な相手先名が表示されて、利用者が混乱することがない。したがって、利用者は相手先名を容易に選択することができる。
【００８７】
また、利用者がリストされた相手先名から特定の相手先名を選択してファクス送信する場合、アドレス帳のデフォルト設定が、送信モードのみの宛先情報を使用するように設定されていれば、選択された相手先名に対応させてファクス番号以外の送信先が登録されていたとしても、ファクス番号のみに画像送信が実行される。したがって、選択された相手先名に対応させて電子メールアドレス等の、ファクス番号以外の送信先情報が登録されていても、それらへの送信を防止することができる。
【００８８】
上記では、ホーム画面において、利用者がファクス送信（ファクスモード）を選択した場合を説明したが、これに限定されない。画像送信が、電子メール送信（例えばスキャンｔｏメール）、インターネットファクス送信、画像送信モード（スキャンｔｏフォルダ）等であっても、同様に、画像処理装置のアドレス帳のデフォルト設定が、送信モードのみの宛先情報を使用するように設定されていれば、指定された画像送信以外の送信を防止することができる。
【００８９】
なお、画像処理装置１００の管理者が、利用者が画像処理装置を使用する状況に応じて、「送信するモードのみの宛先を適用する」のチェックボックスにチェックマークを付すか、外すかを適切に設定することにより、利用者は効率的に画像処理装置１００を用いて画像送信を行なうことができる。例えば、アドレス帳の相手先名に複数の送信先情報が登録されているが、何れか１つの画像送信モードでのみ送信することが要求される場合には、「送信するモードのみの宛先を適用する」のチェックボックスにチェックマークが付されることが好ましい。一方、ファクス送信及び電子メール送信等、送信モードを区別せずに同報送信することが要求される場合には、「送信するモードのみの宛先を適用する」のチェックボックスにチェックマークを付さないことが好ましい。
【００９０】
上記では、アドレス帳に、相手先名に対応させて、画像送信の送信先情報と画像送信の種類を特定する情報とが登録され、画像送信の種類を特定する情報を用いて、絞込条件を満たす相手先名を特定する場合を説明したが、これに限定されない。画像送信の種類を特定する情報は、アドレス帳に含まれなくてもよい。画像送信の種類に応じて、送信先情報は異なる。例えば、ファクス番号であれば所定桁数の数字列であり、電子メールアドレスであれば“＠”が含まれている。したがって、送信先情報から対応する画像送信の種類を特定することができるので、絞込条件を満たす相手先名を特定することができる。
【００９１】
以上、実施の形態を説明することにより本発明を説明したが、上記した実施の形態は例示であって、本発明は上記した実施の形態に限定されるものではなく、種々変更して実施することができる。
【符号の説明】
【００９２】
１００    画像処理装置
１０２    制御部（ＣＰＵ）
１０４    ＲＯＭ
１０６    ＲＡＭ
１０８    ＨＤＤ
１１０    原稿読取部
１１２    ファクス通信部
１１４    ネットワークＩ／Ｆ
１１６    バス
１２０    画像形成部
１２２    画像処理部
１２４    画面生成部
１３０    操作部
１３２    タッチパネルディスプレイ
１３４    操作キー部
１４０    給紙部
１４２    手差し給紙トレイ
１５０    排紙処理部
１５２    排紙トレイ
１８０    公衆電話回線
１８２    ネットワーク
【図１】
2013005420.tif 000003
【図２】
2013005420.tif 000004
【図３】
2013005420.tif 000005
【図４】
2013005420.tif 000006
【図５】
2013005420.tif 000007
【図６】
2013005420.tif 000008
【図７】
2013005420.tif 000009
【図８】
2013005420.tif 000010
【図９】
2013005420.tif 000011